(57)【要約】【課題】デジタル電話回線からの１つの着信に応じて回線アダプタ装置から複数のＰＳＴＮ回線を介して別個に着信呼出信号が送出される場合でも、１つの着信として着信制御する。【解決手段】電話制御装置１０の着信検出手段１５Ａにより、ＰＳＴＮ回線３ごとに着信情報通知のための１次着信と、１次着信後の着信呼出のための２次着信とを検出し、呼制御手段１５Ｂにより、着信検出手段１５Ａで検出された新たな１次着信の検出タイミングに基づき当該新たな１次着信の有効無効を判定する。この際、呼制御手段１５Ｂで、着信検出手段１５Ａにより任意のＰＳＴＮ回線での１次着信検出時点から所定の有効期間経過後に他のＰＳＴＮ回線で新たな１次着信が検出された場合には有効と判定し、有効期間内に新たな１次着信が検出された場合には無効と判定する。【選択図】  図１
2008053999.tif 000002
【特許請求の範囲】
【請求項１】
複数のＰＳＴＮ回線に接続される電話制御装置と、内線回線を介して電話制御装置に収容される複数の電話端末とを有し、前記電話制御装置により前記ＰＳＴＮ回線と前記電話端末とを任意に交換接続することにより前記ＰＳＴＮ回線を用いた前記電話端末での通話を実現するボタン電話装置であって、
前記電話制御装置は、
前記ＰＳＴＮ回線ごとに着信情報通知のための１次着信と、前記１次着信後の着信呼出のための２次着信とを検出する着信検出手段と、
前記着信検出手段で検出された新たな１次着信の検出タイミングに基づき当該新たな１次着信の有効無効を判定する呼制御手段と
を備え、
前記呼制御手段は、前記着信検出手段により任意のＰＳＴＮ回線での１次着信検出時点から所定の有効期間経過後に他のＰＳＴＮ回線で新たな１次着信が検出された場合には有効と判定し、前記有効期間内に前記新たな１次着信が検出された場合には無効と判定する
ことを特徴とするボタン電話装置。
【請求項２】
請求項１に記載のボタン電話装置において、
前記呼制御手段は、前記有効期間中に前記任意のＰＳＴＮ回線で２次着信が検出された場合は、当該有効期間を終了することを特徴とするボタン電話装置。
【請求項３】
請求項１に記載のボタン電話装置において、
前記呼制御手段は、前記１次着信の検出から所定時間経過しても同一ＰＳＴＮ回線で前記２次着信が検出されない場合には当該１次着信に関する有効期間を終了することを特徴とするボタン電話装置。
【請求項４】
請求項１に記載のボタン電話装置において、
前記着信検出手段は、検出した前記１次着信に応答して当該ＰＳＴＮ回線から着信情報を受信し、
前記呼制御手段は、前記着信検出手段により前記有効期間内に前記新たな１次着信が検出された場合、前記任意のＰＳＴＮ回線の１次着信の際に受信した着信情報と、前記新たな１次着信の際に受信した着信情報とを比較し、その比較結果に基づき前記新たな１次着信の有効無効を判定する
ことを特徴とするボタン電話装置。
【請求項５】
請求項１に記載のボタン電話装置において、
前記呼制御手段は、前記着信情報に含まれる着信電話番号、発信電話番号、および発信電話番号非通知理由のすべてが一致した場合は無効と判断し、前記着信電話番号、発信電話番号、または発信電話番号非通知理由のいずれか１つ以上が不一致の場合は有効と判断することを特徴とするボタン電話装置。
【請求項６】
複数のＰＳＴＮ回線と内線回線を介して収容した複数の電話端末とを任意に交換接続することにより前記ＰＳＴＮ回線を用いた前記電話端末での通話を実現する電話制御装置であって、
前記ＰＳＴＮ回線ごとに着信情報通知のための１次着信と、前記１次着信後の着信呼出のための２次着信とを検出する着信検出手段と、
前記着信検出手段で検出された新たな１次着信の検出タイミングに基づき前記新たな１次着信の有効無効を判定する呼制御手段と
を備え、
前記呼制御手段は、前記着信検出手段により任意のＰＳＴＮ回線での１次着信検出時点から所定の有効期間経過後に他のＰＳＴＮ回線で新たな１次着信が検出された場合には有効と判定し、前記有効期間内に前記新たな１次着信が検出された場合には無効と判定する
ことを特徴とする電話制御装置。
【請求項７】
複数のＰＳＴＮ回線と内線回線を介して収容した複数の電話端末とを任意に交換接続することにより前記ＰＳＴＮ回線を用いた前記電話端末での通話を実現する電話制御装置のコンピュータに、
着信検出手段により、前記ＰＳＴＮ回線ごとに着信情報通知のための１次着信と、前記１次着信後の着信呼出のための２次着信とを検出する着信検出ステップと、
呼制御手段により、前記着信検出手段で検出された新たな１次着信の検出タイミングに基づき前記新たな１次着信の有効無効を判定する呼制御ステップと
を実行させ、
前記呼制御ステップで、前記着信検出手段により任意のＰＳＴＮ回線での１次着信検出時点から所定の有効期間経過後に他のＰＳＴＮ回線で新たな１次着信が検出された場合には有効と判定するステップと、前記有効期間内に前記新たな１次着信が検出された場合には無効と判定するステップとを実行させる
ことを特徴とするプログラム。
【発明の詳細な説明】
【技術分野】
【０００１】
本発明は、電話制御技術に関し、特にターミナルアダプタやＶｏＩＰアダプタを介して電話網に接続されるボタン電話装置の着信制御技術に関する。
【背景技術】
【０００２】
ＰＳＴＮ（Public Switched Telephone Networks：公衆電話交換網）用の電話装置をＩＳＤＮ回線やＩＰ電話回線などのデジタル電話回線に接続して利用する場合、ターミナルアダプタやＶｏＩＰアダプタなどの回線アダプタ装置が用いられる。
このような回線アダプタ装置は、デジタル電話回線とＰＳＴＮ用の電話装置との間に接続される通信装置であり、デジタル電話回線で用いる制御メッセージや音声パケットとＰＳＴＮ用の電話装置で用いるアナログ制御信号やアナログ音声信号とを相互に変換する機能を有している。
【０００３】
例えば、デジタル電話回線からの着信メッセージを受信した場合、回線アダプタ装置は、その着信メッセージをＰＳＴＮ用の着信呼出信号に変換して電話装置へ出力する。その後、電話装置での応答操作に応じてＰＳＴＮ回線の捕捉を検出した場合、回線アダプタ装置は、デジタル電話回線に対して応答メッセージを送信する。そして、デジタル電話回線からの音声パケットをアナログ音声信号に復号して電話装置へ送信するとともに、電話装置からのアナログ音声信号を音声パケットに符号化してデジタル電話回線へ送信する。これにより、ＰＳＴＮ用電話装置によりデジタル電話回線を用いた通話が実現される。
【０００４】
通常、１つのデジタル電話回線には複数の通話チャネルを設けることができる。例えば、ＩＳＤＮ回線には２つの通話チャネルが設けられており、１つのＶｏＩＰ回線には３つ以上の通話チャネルを設けることも可能である。したがって、回線アダプタ装置には、これら通話チャネルに対応してＰＳＴＮ用の電話装置を接続する２つ以上の端末接続ポートが設けられている。
一方、ボタン電話装置は複数の電話回線を収容することができ、このようなボタン電話装置を回線アダプタ装置に接続する際、回線アダプタ装置の端末接続ポートとボタン電話装置のＰＳＴＮ回線接続端子とをそれぞれ別個に接続することにより、ボタン電話装置の各電話機でデジタル電話回線の各通話チャネルを別個に利用することができ、複数の通話を並行して行うことが可能となる。
【０００５】
【非特許文献１】http://www.saxa.co.jp/product_system/ip_adapter/gw400/index.html
【発明の開示】
【発明が解決しようとする課題】
【０００６】
このような回線アダプタ装置は、網側からの着信メッセージにサブアドレスなどの付加情報により着信先電話番号が指定されていない場合、当該着信メッセージに応じて各端末接続ポートに対して一斉に着信呼出信号を送出するものとなっている。
しかしながら、このような従来のボタン電話装置では、収容する各ＰＳＴＮ回線で個別に着信検出を行っているため、前述したように、回線アダプタの各端末接続ポートが同じボタン電話装置に接続されている場合、ボタン電話装置は、同一の着信を各ＰＳＴＮ回線で別個の着信として検出してしまい、着信動作が不安定となるという問題点があった。
【０００７】
例えば、ボタン電話装置において、回線アダプタ装置の２つの端末接続ポートを別個のＰＳＴＮ回線として収容している場合、ボタン電話装置は、回線アダプタ装置からの着信呼出信号の検出に応じて、ボタン電話機でＰＳＴＮ回線ごとに個別に着信表示を行う。これに応じて、利用者がボタン電話機でいずれか一方のＰＳＴＮ回線への着信に応答した場合、回線アダプタ装置は応答のあった端末接続ポートを通話状態とし、他方の端末接続ポートへの着信呼出信号の送出を停止する。したがって、ボタン電話装置は、他方のＰＳＴＮ回線への着信が中断されたと判断し、他方のＰＳＴＮ回線に関するボタン電話機での着信表示を停止する。
【０００８】
この一連の動作の途中で、他の利用者がボタン電話機で他方のＰＳＴＮ回線への着信に応答した場合、着信に応答したにもかかわらず回線が切断されて応答できない状態となり、利用者が混乱する原因となる。
また、１つの着信で両方のＰＳＴＮ回線が着信中となるため、他方のＰＳＴＮ回線を使用して発信できる状態であるにもかかわらず、ＰＳＴＮ回線を利用できない状態となり、ボタン電話装置においてＰＳＴＮ回線を有効利用できない。
【０００９】
本発明はこのような課題を解決するためのものであり、デジタル電話回線からの１つの着信に応じて回線アダプタ装置から複数の端末接続ポートを介して別個に着信呼出信号が送出される場合でも、１つの着信として着信制御することができるボタン電話装置、電話制御装置、およびプログラムを提供することを目的としている。
【課題を解決するための手段】
【００１０】
このような目的を達成するために、本発明にかかるボタン電話装置は、複数のＰＳＴＮ回線に接続される電話制御装置と、内線回線を介して電話制御装置に収容される複数の電話端末とを有し、電話制御装置によりＰＳＴＮ回線と電話端末とを任意に交換接続することによりＰＳＴＮ回線を用いた電話端末での通話を実現するボタン電話装置であって、電話制御装置に、ＰＳＴＮ回線ごとに着信情報通知のための１次着信と、１次着信後の着信呼出のための２次着信とを検出する着信検出手段と、着信検出手段で検出された新たな１次着信の検出タイミングに基づき当該新たな１次着信の有効無効を判定する呼制御手段とを備え、呼制御手段で、着信検出手段により任意のＰＳＴＮ回線での１次着信検出時点から所定の有効期間経過後に他のＰＳＴＮ回線で新たな１次着信が検出された場合には有効と判定し、有効期間内に新たな１次着信が検出された場合には無効と判定する。
【００１１】
この際、呼制御手段で、有効期間中に任意のＰＳＴＮ回線で２次着信が検出された場合は、当該有効期間を終了するようにしてもよい。
また、呼制御手段で、１次着信の検出から所定時間経過しても同一ＰＳＴＮ回線で２次着信が検出されない場合には当該１次着信に関する有効期間を終了するようにしてもよい。
【００１２】
また、着信検出手段で、検出した１次着信に応答して当該ＰＳＴＮ回線から着信情報を受信し、呼制御手段で、着信検出手段により有効期間内に新たな１次着信が検出された場合、任意のＰＳＴＮ回線の１次着信の際に受信した着信情報と、新たな１次着信の際に受信した着信情報とを比較し、その比較結果に基づき新たな１次着信の有効無効を判定するようにしてもよい。
【００１３】
また、呼制御手段で、着信情報に含まれる着信電話番号、発信電話番号、および発信電話番号非通知理由のすべてが一致した場合は無効と判断し、着信電話番号、発信電話番号、または発信電話番号非通知理由のいずれか１つ以上が不一致の場合は有効と判断するようにしてもよい。
【００１４】
また、本発明にかかる電話制御装置は、複数のＰＳＴＮ回線と内線回線を介して収容した複数の電話端末とを任意に交換接続することによりＰＳＴＮ回線を用いた電話端末での通話を実現する電話制御装置であって、ＰＳＴＮ回線ごとに着信情報通知のための１次着信と、１次着信後の着信呼出のための２次着信とを検出する着信検出手段と、着信検出手段で検出された新たな１次着信の検出タイミングに基づき新たな１次着信の有効無効を判定する呼制御手段とを備え、呼制御手段で、着信検出手段により任意のＰＳＴＮ回線での１次着信検出時点から所定の有効期間経過後に他のＰＳＴＮ回線で新たな１次着信が検出された場合には有効と判定し、有効期間内に新たな１次着信が検出された場合には無効と判定する。
【００１５】
また、本発明にかかるプログラムは、複数のＰＳＴＮ回線と内線回線を介して収容した複数の電話端末とを任意に交換接続することによりＰＳＴＮ回線を用いた電話端末での通話を実現する電話制御装置のコンピュータに、着信検出手段により、ＰＳＴＮ回線ごとに着信情報通知のための１次着信と、１次着信後の着信呼出のための２次着信とを検出する着信検出ステップと、呼制御手段により、着信検出手段で検出された新たな１次着信の検出タイミングに基づき新たな１次着信の有効無効を判定する呼制御ステップとを実行させ、呼制御ステップで、着信検出手段により任意のＰＳＴＮ回線での１次着信検出時点から所定の有効期間経過後に他のＰＳＴＮ回線で新たな１次着信が検出された場合には有効と判定するステップと、有効期間内に新たな１次着信が検出された場合には無効と判定するステップとを実行させる。
【発明の効果】
【００１６】
本発明によれば、電話制御装置１０の着信検出手段１５Ａにより、ＰＳＴＮ回線３ごとに着信情報通知のための１次着信と、１次着信後の着信呼出のための２次着信とが検出され、呼制御手段１５Ｂにより、着信検出手段１５Ａで検出された新たな１次着信の検出タイミングに基づき当該新たな１次着信の有効無効が判定される。この際、呼制御手段１５Ｂで、着信検出手段１５Ａにより任意のＰＳＴＮ回線での１次着信検出時点から所定の有効期間経過後に他のＰＳＴＮ回線で新たな１次着信が検出された場合には有効と判定され、有効期間内に新たな１次着信が検出された場合には無効と判定される。
【００１７】
したがって、任意のＰＳＴＮ回線で１次着信が検出されてから、所定の有効期間内に他のＰＳＴＮ回線で新たな１次着信が検出された場合、新たな１次着信を無効と判定することができる。
これにより、デジタル電話回線４からの１つの着信に応じて回線アダプタ装置２から複数のＰＳＴＮ回線３を介して別個に着信呼出信号が送出される場合でも、１つの着信として着信制御することができる。
【発明を実施するための最良の形態】
【００１８】
次に、本発明の実施の形態について図面を参照して説明する。
［第１の実施の形態］
まず、図１を参照して、本発明の第１の実施の形態にかかるボタン電話装置について説明する。図１は、本発明の第１の実施の形態にかかるボタン電話装置の構成を示すブロック図である。
このボタン電話装置１は、複数のＰＳＴＮ回線３に接続される電話制御装置１０と、内線回線３０を介して電話制御装置１０に収容される複数の電話端末２０とを有し、電話制御装置１０によりＰＳＴＮ回線３と電話端末２０とを任意に交換接続することによりＰＳＴＮ回線３を用いた電話端末２０での通話を実現する。
【００１９】
回線アダプタ装置２は、デジタル電話網５からのデジタル電話回線４とＰＳＴＮ回線３との間に接続される通信装置であり、デジタル電話回線４で用いる制御メッセージや音声パケットとＰＳＴＮ回線３で用いるアナログ制御信号やアナログ音声信号とを相互に変換する。また、相手電話端末６は、デジタル電話網５に接続された電話端末である。
なお、ＰＳＴＮ回線３は、一般的なアナログ電話回線からなる。デジタル電話回線４は、ＩＳＤＮ回線やＶｏＩＰ電話回線からなる。デジタル電話網５は、ＩＳＤＮやＶｏＩＰ電話網からなる。
このような接続形態により、ボタン電話装置１がデジタル電話回線４に直接接続できない場合でも、回線アダプタ装置２を介してデジタル電話回線４の利用が可能となる。
【００２０】
本実施の形態は、電話制御装置１０に、ＰＳＴＮ回線ごとに着信情報通知のための１次着信と、１次着信後の着信呼出のための２次着信とを検出する着信検出手段と、着信検出手段で検出された新たな１次着信の検出タイミングに基づき新たな１次着信の有効無効を判定する呼制御手段とを設け、呼制御手段で、着信検出手段により任意のＰＳＴＮ回線での１次着信検出時点から所定の有効期間経過後に他のＰＳＴＮ回線で新たな１次着信が検出された場合には有効と判定し、有効期間内に新たな１次着信が検出された場合には無効と判定するようにしたものである。
【００２１】
［着信情報通知動作］
デジタル電話網では、着信時に、着信電話番号や発信電話番号などの着信に関する着信情報が着信メッセージに添付されて、着信先の電話端末へ通知される。一般的な回線アダプタ装置では、このような着信情報を受信し、ＰＳＴＮで提供されている、発信者情報通知サービスやナンバーディスプレイなどの加入者サービスと同様の着信情報通知動作により、ＰＳＴＮ回線を介してアナログ電話端末へ通知する機能を有している。本発明は、このような回線アダプタ装置の着信情報通知機能を利用して、着信の有効無効を判断している。
【００２２】
以下、図２を参照して、ＰＳＴＮの着信情報通知動作について説明する。図２は、ＰＳＴＮの着信情報通知動作を示すシーケンス図である。ここでは、ＰＳＴＮ回線を介してＰＳＴＮに発側電話端末と着側電話端末がそれぞれ接続されており、発側電話端末からの発信に応じて、ＰＳＴＮからの着信時に着側電話端末へ着信情報が通知される場合を例として説明する。
【００２３】
まず、発側電話端末でのＰＳＴＮ回線の捕捉に応じてＰＳＴＮ回線の直流ループが閉結され、これが発信要求としてＰＳＴＮへ通知される（ステップ５００）。続いて、発側電話端末から着側電話端末の電話番号がダイヤル信号として送出される（ステップ５０１）。
ＰＳＴＮは、発側電話端末からのダイヤル信号を受信し、その着信電話番号に対応する着側電話端末のＰＳＴＮ回線について回線電圧極性を反転させた後（ステップ５０３）、所定の端末起動信号を当該ＰＳＴＮ回線へ送出することにより、着信情報通知のための１次着信を着側電話端末へ通知する（ステップ５０４）。
【００２４】
着側電話端末は、ＰＳＴＮ回線から端末起動信号を検出することにより１次着信を確認し、そのＰＳＴＮ回線の直流ループを閉結することにより、着信情報の受信可能を示す１次応答をＰＳＴＮへ通知する（ステップ５０５）。
【００２５】
ＰＳＴＮは、着側電話端末のＰＳＴＮ回線での直流ループ閉結検出に応じて着側電話端末からの１次応答を確認し、着信電話番号、発信電話番号、発信電話番号非通知理由を含む着信情報を、モデル信号により当該ＰＳＴＮ回線を介して着側電話端末へ通知する（ステップ５０６）。
なお、ＰＳＴＮでは、ステップ５０３の回線極性反転から待ち時間６秒以内に１次応答を確認できない場合、ステップ５０６の着信情報の通知を行わず、後述するステップ５１０へ移行して２次着信信号を送出する。
【００２６】
着側電話端末は、ＰＳＴＮ回線からモデム信号により着信情報を受信して、その着信情報を記憶部へ保存し（ステップ５０７）、ＰＳＴＮ回線の直流ループを解放することによりＰＳＴＮへ受信完了を通知する（ステップ５０８）。
これにより、ＰＳＴＮから着側電話端末に対して着信情報が通知されたことになる。
【００２７】
ＰＳＴＮは、着側電話端末のＰＳＴＮ回線での直流ループ解放検出に応じて着側電話端末からの着側情報の受信完了を確認する。その後、ＰＳＴＮは、当該ＰＳＴＮ回線からＩＲ信号（１６Ｈｚ）の着信呼出信号を送出することにより、着信呼出のための２次着信を着側電話端末へ通知する（ステップ５１０）。これと前後してＰＳＴＮは、発側電話端末のＰＳＴＮ回線へ呼出中を示す呼出音を送出する（ステップ５１１）。
なお、ステップ５０６の着信情報の通知から待ち時間７秒以内に受信完了を確認できない場合、ＰＳＴＮは着信動作を中断し、発側電話端末と着側電話端末の両ＰＳＴＮ回線から話中音を送出する。
【００２８】
着側電話端末は、ＰＳＴＮ回線からＩＲ信号を検出することにより２次着信を確認し、着信音や着信ランプを用いて着信表示を行うとともに（ステップ５１２）、ＬＣＤなどの画面表示部に着信情報で通知された発信電話番号を表示する（ステップ５１３）。
この着信表示に応じて利用者の応答操作を検出した場合（ステップ５１４）、着側電話端末は、ＰＳＴＮ回線の直流ループを閉結することにより、着信応答を示す２次応答をＰＳＴＮへ通知する（ステップ５１５）。
【００２９】
ＰＳＴＮは、着側電話端末のＰＳＴＮ回線での直流ループ閉結検出に応じて着側電話端末からの２次応答を確認し、当該ＰＳＴＮ回線の回線電圧極性を復極させるとともに（ステップ５１６）、発側電話端末のＰＳＴＮ回線の回線電圧極性を反転させた後（ステップ５１７）、発側電話端末と着側電話端末の通話路を接続する。これにより、ＰＳＴＮを介して発側電話端末と着側電話端末との間で音声通話が開始される（ステップ５１８）。
【００３０】
［ボタン電話装置］
次に、図１を参照して、本発明の第１の実施の形態にかかるボタン電話装置の構成について詳細に説明する。
ボタン電話装置１の電話制御装置１０は、主装置や構内交換機などの通信制御装置からなり、ＰＳＴＮ回線３を用いた発着信を制御し、ＰＳＴＮ回線３と複数の電話端末２０とを任意に交換接続する機能を有している。
電話端末２０は、内線回線３０を介して電話制御装置１０と接続してデータ伝送を行うことにより、ＰＳＴＮ回線３を用いた発着信や通話を行う端末装置である。なお、内線回線３０は有線または無線のいずれでもよい。また電話端末２０は、データ伝送に変えて各種制御信号をやり取りするアナログ電話端末であってもよい。
【００３１】
電話制御装置１０には、主な機能部として、外線インターフェース部（以下、外線Ｉ／Ｆ部という）１１、内線インターフェース部（以下、内線Ｉ／Ｆ部という）１２、スイッチ１３、記憶部１４、および制御部１５が設けられている。
【００３２】
外線Ｉ／Ｆ部１１は、専用のインターフェース回路部からなり、複数のＰＳＴＮ回線３を接続し、制御部１５からの制御に応じて回線アダプタ装置２との間で各種制御信号をやり取りすることにより、着信、発信、通話などの呼制御状態に応じて、ＰＳＴＮ回線３を終端制御する機能を有している。
内線Ｉ／Ｆ部１２は、専用のインターフェース回路部からなり、複数の内線回線３０を接続し、制御部１５からの制御に応じて電話端末２０との間で各種制御メッセージをやり取りすることにより、電話端末２０での操作を検出したり、電話端末２０の動作状態を制御する機能を有している。
【００３３】
スイッチ１３は、専用のスイッチング回路部からなり、制御部１５からの制御に応じて、外線Ｉ／Ｆ部１１の通話パスと内線Ｉ／Ｆ部１２の通話パスとを任意に交換接続する機能を有している。
記憶部１４は、メモリやハードディスクなどの記憶装置からなり、制御部１５での処理に必要な各種処理情報やプログラム１４Ｐを記憶する機能を有している。プログラム１４Ｐは、制御部１５に読み出されて実行されることにより各種機能手段を実現する制御用プログラムであり、予め外部装置（図示せず）あるいは記憶媒体（図示せず）から読み込まれて記憶部１４へ格納される。
【００３４】
記憶部１４で記憶される主な処理情報としては、呼制御情報１４Ａおよび着信管理情報１４Ｂがある。
呼制御情報１４Ａは、ボタン電話装置１全体を制御するために必要となる各種制御情報であり、一般的な電話制御装置で用いられる内容と同様である。主な制御情報としては、ＰＳＴＮ回線３や各電話端末２０の接続状況を示すシステム構成、ＰＳＴＮ回線３や電話端末２０と電話番号との対応関係、ＰＳＴＮ回線３や各電話端末２０の使用状態などがある。
【００３５】
着信管理情報１４Ｂは、ＰＳＴＮ回線３からの着信の処理状態を管理するための情報である。図３は、本発明の第１の実施の形態にかかるボタン電話装置で用いる着信管理情報の構成例である。この例では、各着信を識別するための着呼ＩＤ、当該着呼が検出されたＰＳＴＮ回線３を識別するための外線ＩＤ、および当該着信が有効期間中であるか否かを示す検査フラグが組として管理されている。
通常、ＰＳＴＮや回線アダプタ装置２では、着信情報通知動作において、１次着信の通知後から２次着信の通知を行うまでの期間の上限が定められており、発側電話端末による発信中止などの理由により着信が中断された場合には２次着信を通知しない。
【００３６】
本実施の形態は、上記期間を１次着信の有効期間とし、任意のＰＳＴＮ回線からの１次着信の通知後、他のＰＳＴＮ回線からの新たな１次着信を検出した場合、その検出タイミングが先の１次着信の有効期間内か否かに基づき、新たな１次着信の有効無効を判断している。このため、図３に示すように、１次着信ごとに検査フラグを設けて、当該着呼が有効期間内か否かを管理している。
【００３７】
制御部（コンピュータ）１５は、ＣＰＵなどのマイクロプロセッサとその周辺回路を有し、周辺回路内のメモリや記憶部１４に格納されているプログラムを読み込んで実行することにより、上記ハードウェアとプログラムとを協働させて各種機能手段を実現する。
制御部１５で実研される主な機能手段としては、着信検出手段１５Ａおよび呼制御手段１５Ｂがある。
【００３８】
着信検出手段１５Ａは、外線Ｉ／Ｆ部１１で検出したＰＳＴＮ回線３からの各種制御信号の検出結果に基づき、ＰＳＴＮ回線３ごとに回線アダプタ装置２からの１次着信および２次着信を検出する機能と、前述した着信情報通知動作に基づいて１次着信後に回線アダプタ装置２から送信される着信情報を受信する機能とを有している。
【００３９】
呼制御手段１５Ｂは、着信検出手段１５Ａでの検出結果や外線Ｉ／Ｆ部１１で検出したＰＳＴＮ回線３からの各種制御信号、さらには電話端末２０から通知された各種操作に基づき記憶部１４の呼制御情報１４Ａを更新する機能と、呼制御情報１４Ａに基づいてスイッチ１３を切替制御することにより、ＰＳＴＮ回線３と電話端末２０とを任意に交換接続する機能と、呼制御情報１４Ａに基づいて外線Ｉ／Ｆ部１１から各種制御信号を送信することにより回線制御を行う機能と、呼制御情報１４Ａに基づいて内線Ｉ／Ｆ部１２から各種制御メッセージを送信することにより、電話端末２０の通話状態や表示動作を制御する機能を有している。
【００４０】
また、呼制御手段１５Ｂは、着信検出手段１５Ａにおける各ＰＳＴＮ回線３の着信検出状態に基づき記憶部１４の着信管理情報１４Ｂ、具体的には、検出した着信の着呼ＩＤ、外線ＩＤ、および当該１次着信の有効期間を示す検査フラグを更新する機能と、その着信管理情報１４Ｂを参照して、着信検出手段で検出された新たな１次着信の検出タイミングに基づき当該新たな１次着信の有効無効を判定する機能を有している。
【００４１】
図４は、１次着信に対する有効無効判定動作を示すタイミングチャートである。ここでは、ＰＳＴＮ回線３として２つの回線Ａ，Ｂが接続されている場合を例として説明する。
前述したように、回線Ａにおいて時刻Ｔ１に１次着信が検出された場合、呼制御手段１５Ｂは、その時刻Ｔ１から所定期間後の時刻Ｔ２までを回線Ａの有効期間（最長）と判断する。また、時刻Ｔ２より前の時刻Ｔ３に２次着信が検出された場合、回線Ａの有効期間を時刻Ｔ１から時刻Ｔ３までに短縮する。
【００４２】
したがって、回線Ｂの１次着信に対する有効期間は回線Ａの無効期間に相当し、時刻Ｔ１から時刻Ｔ２までが無効期間となり、時刻Ｔ３に回線Ａで２次着信が検出された場合、その時刻Ｔ３以降は有効期間と判定する。この無効期間内に回線Ｂで新たな１次着信が検出された場合、呼制御手段１５Ｂは当該新たな１次着信を無効と判断する。
呼制御手段１５Ｂは、制御部１５のタイマ機能（図示せず）を利用して時刻Ｔ１から時刻Ｔ２までの期間長を計時し、そのタイムアウトや２次着信検出に基づき着信管理情報１４Ｂの検査フラグを更新する。また、着信管理情報１４Ｂに設定した各着呼のエントリは、着信応答や着信中断により当該着呼が消滅した時点で消去する。
【００４３】
［第１の実施の形態の動作］
次に、図５を参照して、本発明の第１の実施の形態にかかるボタン電話装置の動作について説明する。図５は、本発明の第１の実施の形態にかかるボタン電話装置の着信処理を示すフローチャートである。
電話制御装置１０の制御部１５は、着信検出手段１５Ａでの新たな着信検出に応じて、呼制御手段１５Ｂにより、図５の着信処理を実行する。
【００４４】
まず、呼制御手段１５Ｂは、着信検出手段１５Ａにより任意のＰＳＴＮ回線３で検出された新たな着信が１次着信か否か判断し（ステップ１００）、新たな着信が１次着信の場合（ステップ１００：ＹＥＳ）、着信検出手段１５Ａにより前述した着信情報通知動作に基づいて当該ＰＳＴＮ回線３から着信情報を受信する（ステップ１０１）。
【００４５】
次に、呼制御手段１５Ｂは、記憶部１４の着信管理情報１４Ｂを参照し、各着呼ＩＤのうち検査フラグが有効「１」を示し、有効期間中の着呼が存在するか確認する（ステップ１０２）。
ここで、他に有効期間中の着呼がない場合（ステップ１０２：ＮＯ）、呼制御手段１５Ｂは、検出した新たな着信が任意の着信と重複しない有効な着信と判定し、着信検出手段１５Ａで受信した着信情報を記憶部１４に保存し（ステップ１０３）、この新たな着信に固有の着呼ＩＤを定め、この着呼ＩＤと当該ＰＳＴＮ回線３を識別するための外線ＩＤとの組からなる新たなエントリを着信管理情報１４Ｂへ設定するともに、当該着呼の検査フラグを有効「１」に設定し（ステップ１０４）、当該着呼の有効期間を計時するための検査タイマを起動する（ステップ１０５）。
【００４６】
その後、呼制御手段１５Ｂは、新たな着信を検出したＰＳＴＮ回線３へ、着信情報の受信完了を示す所定の制御信号を外線Ｉ／Ｆ部１１から送出し（ステップ１０６）、ステップ１００へ戻る。これにより、当該新たな着信は２次着信の検出があるまで待機状態となり、その期間が当該新たな着信の有効期間となる。
一方、ステップ１０２において、他に有効期間中の着呼がある場合（ステップ１０２：ＹＥＳ）、呼制御手段１５Ｂは、検出した新たな着信が任意の着信と重複する無効な着信と判定し、新たな着信を検出したＰＳＴＮ回線３へ、その新たな着信を着信拒否する所定の制御信号を外線Ｉ／Ｆ部１１から送出し（ステップ１０６）、ステップ１００へ戻る。
【００４７】
また、ステップ１００において、着信検出手段１５Ａにより検出された着信が１次着信ではない場合（ステップ１００：ＮＯ）、呼制御手段１５Ｂは、この検出された新たな着信が２次着信かどうか判断する（ステップ１１０）。
ここで、新たな着信が２次着信の場合（ステップ１１０：ＹＥＳ）、呼制御手段１５Ｂは、当該新たな着信が検出されたＰＳＴＮ回線３の外線ＩＤと対応するエントリを記憶部１４の着信管理情報１４Ｂから検索し、その検査フラグを無効「０」にクリアして、当該着呼の有効期間が終了したことを設定する（ステップ１１１）。
【００４８】
続いて、呼制御手段１５Ｂは、当該着信に対応する検査タイマを停止し（ステップ１１２）、２次着信が検出された着呼に対応する電話端末２０に対して、着信表示を指示する制御メッセージを内線Ｉ／Ｆ部１２から内線回線３０へ送信する（ステップ１１３）。この際、記憶部１４から当該着呼に関する着信情報を読み出し、上記制御メッセージに含めて送信する。制御メッセージ送信後、ステップ１００へ戻る。
【００４９】
これら電話端末２０は、内線回路３０を介して電話制御装置１０からの制御メッセージを受信し、着信音を送出するとともにＬＥＤなどの着信ランプを点滅させて着信表示を行う。また、当該電話端末２０にＬＣＤなどの画面表示機能が搭載されている場合には、制御メッセージに含まれる着信情報を画面表示する。これにより、発側電話番号が電話端末２０で画面表示される。
【００５０】
また、ステップ１１０おいて、着信検出手段１５Ａにより検出された着信が２次着信ではない場合（ステップ１００：ＮＯ）、呼制御手段１５Ｂは、任意の着呼の検査タイマがタイムアウトしたかどうか判断する（ステップ１１５）。
ここで、任意の着呼の検査タイマがタイムアウトしている場合（ステップ１１５：ＹＥＳ）、呼制御手段１５Ｂは、当該検査タイマに対応する着呼ＩＤと対応するエントリを記憶部１４の着信管理情報１４Ｂから検索し、その検査フラグを無効「０」にクリアして、当該着呼の有効期間が終了したことを設定する（ステップ１１６）。
呼制御手段１５Ｂは、ステップ１１６の後、およびステップ１１５でタイムアウトしている検査タイマがなかった場合（ステップ１１５：ＮＯ）、ステップ１００へ戻る。
【００５１】
したがって、本発明の第１の実施の形態にかかるボタン電話装置の着信処理動作は、図６のようになる。図６は、本発明の第１の実施の形態にかかるボタン電話装置の着信処理動作例を示すシーケンス図である。ここでは、ＰＳＴＮ回線３として２つの回線Ａ，Ｂが接続されており、まず回線Ａで１次着信を検出し、その有効期間中に検出した回線Ｂの１次着信を無効と判断する場合について説明する。
相手電話端末６からの発信要求に応じて、デジタル電話網５がボタン電話装置１への発呼を受け付けた場合（ステップ１５０）、デジタル電話網５から回線アダプタ装置２に対して着信呼出メッセージが送信される（ステップ１５１）。
【００５２】
回線アダプタ装置２は、デジタル電話回線４を介してこの着信呼出メッセージを受信し、ＰＳＴＮ回線３の回線Ａ，Ｂからボタン電話装置１の電話制御装置１０に対して、１次着信を通知する。
電話制御装置１０の制御部１５は、着信検出手段１５Ａにより、まず回線Ａで１次着信を検出した場合（ステップ１５２）、呼制御手段１５Ｂにより、回線Ａに対して１次着信応答を送出する（ステップ１５３）。
【００５３】
この応答に応じて、回線アダプタ装置２から回線Ａで着信情報が通知された場合（ステップ１５４）、電話制御装置１０の制御部１５は、着信検出手段１５Ａにより受信した後、呼制御手段１５Ｂにより着信管理情報１４Ｂの検査フラグを参照して、他の回線で有効期間中の着信があるか確認する（ステップ１５５）。
この場合、有効期間中の着信は存在しないため、回線Ａの当該着信を他の着信と重複しない有効な着信と判断し、呼制御手段１５Ｂにより記憶部１４に保存する（ステップ１５６）。
【００５４】
続いて、呼制御手段１５Ｂにより、当該着呼に関する新たなエントリを記憶部１４の着信管理情報１４Ｂに設定するとともに、その検査フラグを有効「１」に設定し（ステップ１５７）、当該着呼に対応する検査タイマを起動した後（ステップ１５８）、回線Ａに対して着信情報の受信完了を送出する（ステップ１５９）。
【００５５】
次に、電話制御装置１０の制御部１５は、着信検出手段１５Ａにより、回線Ｂで１次着信を検出した場合（ステップ１６０）、回線Ａの場合と同様にして、呼制御手段１５Ｂにより、回線Ｂに対して１次着信応答を送出する（ステップ１６１）。
この応答に応じて、回線アダプタ装置２から着信情報が通知された場合（ステップ１６２）、電話制御装置１０の制御部１５は、着信検出手段１５Ａにより受信した後、呼制御手段１５Ｂにより着信管理情報１４Ｂの検査フラグを参照して、他の回線で有効期間中の着信があるか確認する（ステップ１６３）。
【００５６】
この場合、回線Ａの着信の検査フラグが有効「１」であり、有効期間中の着信が他に存在するため、回線Ｂの当該着信を回線Ａの着信と重複する無効な着信と判断し、呼制御手段１５Ｂにより、回線Ｂに対して着信拒否を送出する（ステップ１６４）。この着信拒否に応じて、回線アダプタ装置２は、回線Ｂへの着信を中断する。
【００５７】
その後、回線アダプタ装置２から回線Ａで２次着信が通知された場合（ステップ１７０）、電話制御装置１０の制御部１５は、着信検出手段１５Ａにより回線Ａで２次着信を検出し、呼制御手段１５Ｂにより、着信管理情報１４Ｂにおける当該着信の検査フラグを無効「０」にリセットするとともに（ステップ１７１）、当該着信に対応する検査タイマを停止し（ステップ１７２）、当該着信に対応する電話端末２０に対して回線Ａに関する着信表示を指示する（ステップ１７３）。これにより、電話端末２０で回線Ａに関する着信表示が行われ（ステップ１７４）、一連の着信処理動作が終了する。
【００５８】
このように、本実施の形態は、電話制御装置１０に、ＰＳＴＮ回線３ごとに着信情報通知のための１次着信と、１次着信後の着信呼出のための２次着信とを検出する着信検出手段１５Ａと、着信検出手段１５Ａで検出された新たな１次着信の検出タイミングに基づき当該新たな１次着信の有効無効を判定する呼制御手段１５Ｂとを設け、呼制御手段１５Ｂで、着信検出手段１５Ａにより任意のＰＳＴＮ回線での１次着信検出時点から所定の有効期間経過後に他のＰＳＴＮ回線で新たな１次着信が検出された場合には有効と判定し、有効期間内に新たな１次着信が検出された場合には無効と判定している。
【００５９】
したがって、任意のＰＳＴＮ回線で１次着信が検出されてから、所定の有効期間内に他のＰＳＴＮ回線で新たな１次着信が検出された場合、新たな１次着信を無効と判定することができる。
これにより、デジタル電話回線４からの１つの着信に応じて回線アダプタ装置２から複数のＰＳＴＮ回線３を介して別個に着信呼出信号が送出される場合でも、１つの着信として着信制御することができる。
【００６０】
また、本実施の形態では、呼制御手段１５Ｂにより、有効期間中のＰＳＴＮ回線で２次着信が検出された場合は、当該有効期間を終了するようにしたので、その後の他のＰＳＴＮ回線での１次着信を正確に判定することができる。
また、本実施の形態では、呼制御手段１５Ｂにより、１次着信の検出から所定時間経過しても同一ＰＳＴＮ回線で２次着信が検出されない場合には当該１次着信に関する有効期間を終了するようにしたので、発側電話端末での発信中止などにより２次着信が通知されない場合でも、その後の任意のＰＳＴＮ回線での１次着信を正確に判定することができる。
また、本実施の形態では、呼制御手段１５Ｂにより、新たな１次着信を無効と判定した場合、当該ＰＳＴＮ回線に対して着信拒否を送信するようにしたので、その後、速やかにそのＰＳＴＮ回線を利用可能な状態とすることができる。
【００６１】
［第２の実施の形態］
次に、本発明の第２の実施の形態にかかるボタン電話装置について説明する。
第１の実施の形態では、ＰＳＴＮ回線３で検出した新たな１次着信について、それまでに検出した１次着信との検出タイミングに基づき当該新たな１次着信の有効無効を判定する場合について説明した。
本実施の形態は、１次着信の検出タイミングと合わせて、それぞれの１次着信時に受信した着信情報を比較することにより、新たな１次着信の有効無効を判定する場合について説明する。
【００６２】
本実施の形態にかかるボタン電話装置１の構成は、第１の実施の形態と比較して、着信管理情報１４Ｂの構成が異なる。図７は、本発明の第２の実施の形態にかかるボタン電話装置で用いる着信管理情報の構成例である。この例では、各着信を識別するための着呼ＩＤ、当該着呼が検出されたＰＳＴＮ回線３を識別するための外線ＩＤ、および当該着信が有効期間中であるか否かを示す検査フラグに加え、着信情報が組として管理されている。
【００６３】
着信情報は、図２の着信情報通知動作で説明したように、１次着信の際に回線アダプタ装置２からＰＳＴＮ回線３を介して通知されるものである。図８は、着信情報の構成例である。ここでは、着側電話端末の電話番号を示す着番号、発側電話端末の電話番号を示す発番号、および発番号が通知されずに拒否された理由を示す発番号拒否理由など、当該着信に関する各種情報から構成されている。本実施の形態では、このような着信情報を比較することにより、ＰＳＴＮ回線で検出した１次着信の有効無効を判定している。
なお、本実施の形態にかかるボタン電話装置１の構成は、着信管理情報１４Ｂを除いては、第１の実施の形態（図１参照）とほぼ同様であり、ここでの詳細な説明は省略する。
【００６４】
［第２の実施の形態の動作］
次に、図９を参照して、本発明の第２の実施の形態にかかるボタン電話装置の動作について説明する。図９は、本発明の第２の実施の形態にかかるボタン電話装置の着信処理を示すフローチャートであり、前述した図５と同じまたは同等部分には同一符号を付してある。
電話制御装置１０の制御部１５は、着信検出手段１５Ａでの新たな着信検出に応じて、呼制御手段１５Ｂにより、図９の着信処理を実行する。
【００６５】
まず、呼制御手段１５Ｂは、着信検出手段１５Ａにより任意のＰＳＴＮ回線３で検出された新たな着信が１次着信か否か判断し（ステップ１００）、新たな着信が１次着信の場合（ステップ１００：ＹＥＳ）、着信検出手段１５Ａにより前述した着信情報通知動作に基づいて当該ＰＳＴＮ回線３から着信情報を受信する（ステップ１０１）。
【００６６】
次に、呼制御手段１５Ｂは、記憶部１４の着信管理情報１４Ｂを参照し、各着呼ＩＤのうち検査フラグが有効「１」を示し、有効期間中の着呼が存在するか確認する（ステップ１０２）。
ここで、他に有効期間中の着呼がない場合（ステップ１０２：ＮＯ）、前述した図５のステップ１０３〜１０６を実行して、当該１次着信の受付処理を行った後、ステップ１００へ戻る。
【００６７】
一方、ステップ１０２において、他に有効期間中の着呼がある場合（ステップ１０２：ＹＥＳ）、呼制御手段１５Ｂは、検出した有効期間中の着呼の着信情報と、検出した新たな着信の着信情報を比較する（ステップ２００）。この際、着番号、発番号、発番号拒否理由のすべてを比較すれば同一着信か否かを精度よく判定できるが、比較する情報は任意に選択すればよい。
ここで、新たな着信の着信情報が、有効期間中の他のすべての着信の着信情報と不一致の場合（ステップ２００：ＮＯ）、前述した図５のステップ１０３〜〜１０６を実行して、当該１次着信の受付処理を行った後、ステップ１００へ戻る。
【００６８】
また、新たな着信の着信情報が、有効期間中の他の着信の着信情報のいずれかと一致した場合（ステップ２００：ＹＥＳ）、検出した新たな着信が任意の着信と重複する無効な着信と判定し、新たな着信を検出したＰＳＴＮ回線３へ、その新たな着信を着信拒否する所定の制御信号を外線Ｉ／Ｆ部１１から送出し（ステップ１０６）、ステップ１００へ戻る。
なお、この他の２次着信検出処理（ステップ１１０〜１１３）や、検査タイマのタイムアウト処理（ステップ１１５，１１６）については、図５と同様であり、ここでの説明は省略する。
【００６９】
したがって、本発明の第２の実施の形態にかかるボタン電話装置の着信処理動作は、図１０のようになる。図１０は、本発明の第２の実施の形態にかかるボタン電話装置の着信処理動作例を示すシーケンス図であり、前述した図６と同じまたは同等部分には同一符号を付してある。ここでは、ＰＳＴＮ回線３として２つの回線Ａ，Ｂが接続されており、まず回線Ａで１次着信を検出し、その有効期間中に検出した回線Ｂの１次着信を無効と判断する場合について説明する。
【００７０】
相手電話端末６からの発信要求に応じて、デジタル電話網５がボタン電話装置１への発呼を受け付けた場合（ステップ１５０）、デジタル電話網５から回線アダプタ装置２に対して着信呼出メッセージが送信される（ステップ１５１）。
【００７１】
回線アダプタ装置２は、デジタル電話回線４を介してこの着信呼出メッセージを受信し、ＰＳＴＮ回線３の回線Ａ，Ｂからボタン電話装置１の電話制御装置１０に対して、１次着信を通知する。
電話制御装置１０の制御部１５は、着信検出手段１５Ａにより、まず回線Ａで１次着信を検出した場合（ステップ１５２）、前述した図６のステップ１５３〜１５８を実行して、当該１次着信の受付処理を行い、回線Ａに対して着信情報の受信完了を送出する（ステップ１５９）。
【００７２】
次に、電話制御装置１０の制御部１５は、着信検出手段１５Ａにより、回線Ｂで１次着信を検出した場合（ステップ１６０）、回線Ａの場合と同様にして、呼制御手段１５Ｂにより、回線Ｂに対して１次着信応答を送出する（ステップ１６１）。
この応答に応じて、回線アダプタ装置２から着信情報が通知された場合（ステップ１６２）、電話制御装置１０の制御部１５は、着信検出手段１５Ａにより受信した後、呼制御手段１５Ｂにより着信管理情報１４Ｂの検査フラグを参照して、他の回線で有効期間中の着信があるか確認する（ステップ１６３）。
【００７３】
この場合、回線Ａの着信の検査フラグが有効「１」であり、有効期間中の着信が他に存在するため、回線Ａと回線Ｂの着信の着信情報を比較する（ステップ２５０）。ここで、両者の着信情報が一致するため回線Ｂの当該着信を回線Ａの着信と重複する無効な着信と判断し、呼制御手段１５Ｂにより、回線Ｂに対して着信拒否を送出する（ステップ１６４）。この着信拒否に応じて、回線アダプタ装置２は、回線Ｂへの着信を中断する。
なお、その後の、回線Ａからの２次着信に応じた２次着信検出処理（ステップ１７０〜１７４）については、前述した図６と同様であり、ここでの詳細な説明は省略する。
【００７４】
このように、本実施の形態は、呼制御手段１５Ｂにより、任意のＰＳＴＮ回線での１次着信の有効期間内に他のＰＳＴＮ回線で新たな１次着信が検出された場合、任意のＰＳＴＮ回線の１次着信の際に受信した着信情報と、新たな１次着信の際に受信した着信情報とを比較し、その比較結果に基づき新たな１次着信の有効無効を判定するようにしたので、第１の実施の形態に比較して、より正確に着信の重複有無を判定することができる。
【００７５】
また、着信情報を比較する際、  呼制御手段１５Ｂにより、着信情報に含まれる着信電話番号、発信電話番号、および発信電話番号非通知理由のすべてが一致した場合は無効と判断し、着信電話番号、発信電話番号、または発信電話番号非通知理由のいずれか１つ以上が不一致の場合は有効と判断するようにしたので、極めて高い精度で重複有無を判定することができる。
【００７６】
［実施の形態の拡張］
以上の各実施の形態では、ＰＳＴＮ回線３として２つの回線Ａ，Ｂが電話制御装置１０に接続されている場合を例として説明したが、ＰＳＴＮ回線３の回線数は２に限定されるものではない。例えば回線数が３以上の場合であっても、本発明の各実施の形態を前述と同様に適用でき、同様の作用効果が得られる。なお、回線数が３以上の場合、有効期間中の着信が複数存在する可能性があるが、このような場合には、これら有効期間中すべての着信と新たな１次着信とを比較すればよい。
【００７７】
また、各実施の形態では、１次着信の検出後に着信情報を受信した後、検査フラグを参照して新たな１次着信の有効無効を判定する場合について説明したが、この判定処理を行うタイミングについては、着信情報を受信する前、すなわち１次着信の検出に応じて、判定処理を行うこともできる。これにより、着信情報を受信する前の早いタイミングに当該着信の有効無効を判定できる。特に、第１の実施の形態の場合には、新たな１次着信が無効の場合、当該１次着信に応じて直ちに着信拒否を行うことができ、ＰＳＴＮ回線を有効利用できる。
【００７８】
また、各実施の形態では、回線アダプタ装置２が着信拒否用の制御信号を受け付ける機能を有することを前提として、電話制御装置１により、１次着信が無効と判断した後にＰＳＴＮ回線３へ着信拒否用の制御信号を送信し、この制御信号に基づき回線アダプタ装置が着信を中止する場合を例として説明したが、この構成に限定される場合ではない。例えばＰＳＴＮでは、図２に示したように、ステップ５０６で着側電話端末へ着信情報を送信した後、ステップ５０８で着側電話端末から受信完了の通知を待つ期間として待ち時間が規定されており、この待ち時間以内に受信完了が通知されない場合、ＰＳＴＮは着側電話端末による着信拒否と判断する。したがって、このような機能を持つ回線アダプタ装置については、電話制御装置１０により、上記制御信号として、待ち時間以上経過した後に受信完了（直流ループ解放）をＰＳＴＮ回線３へ送信するようにしてもよく、回線アダプタ装置２へ着信拒否を通知することができる。
【００７９】
また、各実施の形態では、着信情報の構成として、着呼ＩＤごとに外線ＩＤと検査フラグを管理する場合を例として説明したが、この構成に限定されるものではなく、例えば、各ＰＳＴＮ回線の外線ＩＤごとに、検査フラグを管理する構成を用いてもよい。
【００８０】
また、各実施の形態では、ＰＳＴＮ回線３の回線Ａ，Ｂで１次着信に時間差がある場合を例として説明したが、回線Ａ，Ｂからほぼ同時に１次着信が到来する場合もある。本発明のように、電話制御装置１０において、ＣＰＵを用いた情報処理により呼制御を行う場合には、ＰＳＴＮ回線３からの各種信号や電話端末２０での操作などからなる各種イベントが制御部１５で検出された場合、そのイベントの内容がメモリに一時蓄積され、検出タイミングに応じた順に読み出されて処理される。したがって、ほぼ同時に１次着信が検出された場合でも、その検出タイミングに応じて順に処理されるため、回線Ａ，Ｂで１次着信に時間差がある場合と同様に安定した処理が行われる。
【図面の簡単な説明】
【００８１】
【図１】本発明の第１の実施の形態にかかるボタン電話装置の構成を示すブロック図である。
【図２】ＰＳＴＮの着信情報通知動作を示すシーケンス図である。
【図３】本発明の第１の実施の形態にかかるボタン電話装置で用いる着信管理情報の構成例である。
【図４】１次着信に対する有効無効判定動作を示すタイミングチャートである。
【図５】本発明の第１の実施の形態にかかるボタン電話装置の着信処理を示すフローチャートである。
【図６】本発明の第１の実施の形態にかかるボタン電話装置の着信処理動作例を示すシーケンス図である。
【図７】本発明の第２の実施の形態にかかるボタン電話装置で用いる着信管理情報の構成例である。
【図８】着信情報の構成例である。
【図９】本発明の第２の実施の形態にかかるボタン電話装置の着信処理を示すフローチャートである。
【図１０】本発明の第２の実施の形態にかかるボタン電話装置の着信処理動作例を示すシーケンス図である。
【符号の説明】
【００８２】
１…ボタン電話装置、１０…電話制御装置、１１…外線Ｉ／Ｆ部、１２…内線Ｉ／Ｆ部、１３…スイッチ、１４…記憶部、１４Ａ…呼制御情報、１４Ｂ…着信管理情報、１５…制御部、１５Ａ…着信検出手段、１５Ｂ…呼制御手段、２０…電話端末、３０…内線回線、２…回線アダプタ装置、３…ＰＳＴＮ回線、４…デジタル電話回線、５…デジタル電話網、６…相手電話端末。
【図１】
2008053999.tif 000003
【図２】
2008053999.tif 000004
【図３】
2008053999.tif 000005
【図４】
2008053999.tif 000006
【図５】
2008053999.tif 000007
【図６】
2008053999.tif 000008
【図７】
2008053999.tif 000009
【図８】
2008053999.tif 000010
【図９】
2008053999.tif 000011
【図１０】
2008053999.tif 000012